(57)【要約】【課題】小径ランプの取付作業が容易で、かつ、大径ランプの保持力が大きい環形ランプ保持具および環形ランプ保持具装置を提供する。【解決手段】弾性を有する基体２に形成され、円管を環形に形成してなる環径小径ランプ３の環径方向で対向する一対の対向部３ａ，３ａを、開口部から有底保持用凹部内に着脱自在に嵌入させて保持する小径蛍光ランプ保持部４と；小径ランプよりも大径の大径ランプ５の環径方向で対向する一対の対向部５ａ，５ａの一面側の各内周部にそれぞれ当接して支持する一対の上面支持部６ａおよびこれら上面支持部の反対側の他面を受けて支持する一対の底面支持部６ｂとにより、これら対向部をそれぞれ着脱自在に挟持する大径蛍光ランプ保持部６と；を具備している。【選択図】  図１
2005313952.tif 000002
【特許請求の範囲】
【請求項１】
中空矩形状の基体と；
この基体に形成された開口部から円環形の小径ランプの環径方向で対向する一対の対向部を基体内の有底保持用凹部内に着脱自在に嵌入させて保持する小径ランプ保持部と；
上記基体に形成され、上記小径ランプよりも大径な円環形の大径ランプの環径方向で対向する一対の対向部の各上面にそれぞれ当接して支持する一対の上面支持部およびこれら一対の上面支持部に挟まれた対向部の底面側を受けて支持する一対の底面支持部とにより、これら対向部をそれぞれ着脱自在に保持する大径ランプ保持部と；
を具備していることを特徴とする環形ランプ保持具。
【請求項２】
上記小径ランプ保持部は、その一対の開口部と有底保持用凹部とを、小径ランプの曲率に適合した円弧状にそれぞれ形成していることを特徴とする請求項１記載の環形ランプ保持具。
【請求項３】
上記小径ランプ保持部は、その一対の内周部保持部を、上記小径ランプ保持部の一対の開口部と同一面側に形成していることを特徴とする請求項１または２記載の環形ランプ保持具。
【請求項４】
上記基体は、一枚板紙の打ち込みと折り曲げにより上記大，小径ランプ保持部をそれぞれ形成していることを特徴とする請求項１ないし３のいずれか一記載の環形ランプ保持具。
【請求項５】
上記請求項１〜４のいずれか一記載の環形ランプ保持具と；
この環形ランプ保持具によりそれぞれ着脱自在に保持された大径，小径ランプと；
を具備していることを特徴とする環形ランプ保持具装置。
【請求項６】
円環形の小径ランプおよびこの小径ランプよりも大径な円環形の大径ランプがほぼ同心状に載置される底部と；
この底部の両側にて起立して、上記小径ランプの環径方向で対向する一対の対向部を着脱自在にそれぞれ挿通させる一対の挿通孔を形成した一対の側面部と；
これら一対の側面部上端から水平方向一方向へそれぞれ折曲されて上記大，小径ランプの上面上へ延在し、これら大，小径ランプを上記底部とにより円管直径方向で挟持する一対の上面部と；
を具備し、
上記底部、一対の側面部および上面部を弾性を有する一枚板により一体に連成してなることを特徴とする環形ランプ保持具。
【請求項７】
上記一対の上面部は、これら上面部が一対の側面部上端から水平方向外方へ屈曲され、かつこの上面部の先端部が大径ランプ内周面の少なくとも２箇所に当接するように折り込まれたときに、この大径ランプの水平方向の変位を規制する一方、上記上面部が水平方向内方へ折曲されたとき、かつこの上面部の先端部が小径ランプ内周面の少なくとも２箇所に当接するように折り込まれたときに、この小径ランプの水平方向の変位を規制するランプ規制部を、
具備していることを特徴とする請求項６記載の環形ランプ保持具。
【請求項８】
上記底部は、大径ランプの環径方向で対向する一対の対向端部の底面をそれぞれ支持する一対の底面支持部を有し、
上記一枚板は、これを上記一対の底面支持部側へそれぞれ等分する等分線上に形成された山折線を有し、
上記一枚板を、上記山折り線に沿って山折りし、かつ上記一対の底面支持部を上記大径ランプの所要の底面に位置決めした状態で、小径ランプを底部上に同心状に載置し、かつ山折り側へ押し込むことにより、この小径ランプの環径方向で対向する一対の対向端部を上記挿通孔内にそれぞれはめ込むように構成したことを特徴とする請求項６または７記載の環形ランプ保持具。
【請求項９】
請求項６または７記載の環形ランプ保持具と；
この環形ランプ保持具により着脱自在に保持された大，小径ランプと；
を具備していることを特徴とする環形ランプ保持具装置。
【発明の詳細な説明】
【技術分野】
【０００１】
本発明は円環形の大，小径２本の蛍光ランプを収容箱に収容して運搬する場合に、その収容箱内でこれら大径および小径ランプ同士が揺動して衝突し、破損するのを防止ないし低減するための環形ランプ保持具および環形ランプ保持具装置に関する。
【背景技術】
【０００２】
従来、この種の環形ランプ保持具の一例としては、小径ランプが載置される基部の両側に、階段状に折り曲げられて小径ランプの水平一方向の動きを規制するランプ規制部を連続して設け、このランプ規制部の外周縁部に大径ランプに内接してこの大径ランプを保持する大径ランプ保持部を形成した環状ランプの箱詰め用保持具（例えば特許文献１参照）が知られている。
【特許文献１】特開平１０−１８１７８４号公報
【発明の開示】
【発明が解決しようとする課題】
【０００３】
しかしながら、このような従来の箱詰め用保持具では、ランプ規制部を第１の折り目により一旦外向きに倒し、この後、さらに第２の折り目で反対方向へ折り戻す操作によって小径ランプの左右両側部を窓孔に嵌め込む手作業が必要であり、小径ランプを窓孔に嵌め込む作業が煩雑であるという課題がある。
【０００４】
また、大径ランプは、その上面内周部で内接する一対の内接部と、このランプを下側から受ける大径ランプ受け部とにより、上下方向（円環形ランプがなす平面に直交する方向）で挟持されるが、この大径ランプ受け部は、左右方向に離間配置された一対の内接部の間に位置し、一対の内接部とは上下方向で相互にずれた位置にあるので、その上下方向の保持力が十分ではないという課題がある。
【０００５】
本発明は、このような事情を考慮してなされたもので、大径および小径ランプの取付作業が容易で、かつ、大径ランプの保持力が大きい環形ランプ保持具および環形ランプ保持具装置を提供することを目的とする。
【課題を解決するための手段】
【０００６】
請求項１に係る発明は、中空矩形状の基体と；この基体に形成された開口部から円環形の小径ランプの環径方向で対向する一対の対向部を基体内の有底保持用凹部内に着脱自在に嵌入させて保持する小径ランプ保持部と；上記基体に形成され、上記小径ランプよりも大径な円環形の大径ランプの環径方向で対向する一対の対向部の各上面にそれぞれ当接して支持する一対の上面支持部およびこれら一対の上面支持部に挟まれた対向部の底面側を受けて支持する一対の底面支持部とにより、これら対向部をそれぞれ着脱自在に保持する大径ランプ保持部と；を具備していることを特徴とする環形ランプ保持具である。
【０００７】
請求項２に係る発明は、上記小径ランプ保持部は、その一対の開口部と有底保持用凹部とを、小径ランプの曲率に適合した円弧状にそれぞれ形成していることを特徴とする請求項１記載の環形ランプ保持具である。
【０００８】
請求項３に係る発明は、上記小径ランプ保持部は、その一対の内周部保持部を、上記小径ランプ保持部の一対の開口部と同一面側に形成していることを特徴とする請求項１または２記載の環形ランプ保持具である。
【０００９】
請求項４に係る発明は、上記基体は、一枚板紙の打ち込みと折り曲げにより上記大，小径ランプ保持部をそれぞれ形成していることを特徴とする請求項１ないし３のいずれか一記載の環形ランプ保持具である。
【００１０】
請求項５に係る発明は、上記請求項１〜４のいずれか一記載の環形ランプ保持具と；この環形ランプ保持具によりそれぞれ着脱自在に保持された大径，小径ランプと；を具備していることを特徴とする環形ランプ保持具装置である。
【００１１】
請求項６に係る発明は、円環形の小径ランプおよびこの小径ランプよりも大径な円環形の大径ランプがほぼ同心状に載置される底部と；この底部の両側にて起立して、上記小径ランプの環径方向で対向する一対の対向部を着脱自在にそれぞれ挿通させる一対の挿通孔を形成した一対の側面部と；これら一対の側面部上端から水平方向一方向へそれぞれ折曲されて上記大，小径ランプの上面上へ延在し、これら大，小径ランプを上記底部とにより円管直径方向で挟持する一対の上面部と；を具備し、上記底部、一対の側面部および上面部を弾性を有する一枚板により一体に連成してなることを特徴とする環形ランプ保持具である。
【００１２】
請求項７に係る発明は、上記一対の上面部は、これら上面部が一対の側面部上端から水平方向外方へ屈曲され、かつこの上面部の先端部が大径ランプ内周面の少なくとも２箇所に当接するように折り込まれたときに、この大径ランプの水平方向の変位を規制する一方、上記上面部が水平方向内方へ折曲されたとき、かつこの上面部の先端部が小径ランプ内周面の少なくとも２箇所に当接するように折り込まれたときに、この小径ランプの水平方向の変位を規制するランプ規制部を、具備していることを特徴とする請求項６記載の環形ランプ保持具である。
【００１３】
請求項８に係る発明は、上記底部は、大径ランプの環径方向で対向する一対の対向端部の底面をそれぞれ支持する一対の底面支持部を有し、上記一枚板は、これを上記一対の底面支持部側へそれぞれ等分する等分線上に形成された山折線を有し、上記一枚板を、上記山折り線に沿って山折りし、かつ上記一対の底面支持部を上記大径ランプの所要の底面に位置決めした状態で、小径ランプを底部上に同心状に載置し、かつ山折り側へ押し込むことにより、この小径ランプの環径方向で対向する一対の対向端部を上記挿通孔内にそれぞれ嵌め込むように構成したことを特徴とする請求項６または７記載の環形ランプ保持具である。
【００１４】
請求項９に係る発明は、請求項６または７記載の環形ランプ保持具と；この環形ランプ保持具により着脱自在に保持された大，小径ランプと；を具備していることを特徴とする環形ランプ保持具装置である。
【発明の効果】
【００１５】
本発明によれば、小径ランプの環径方向で対向する一対の対向部を、一対の小径ランプ保持部の開口部に、単にそれぞれ押し込むことにより、小径ランプを同保持部により簡単迅速に取り付け、保持させることができる。
【００１６】
また、大径ランプの環径方向の一対の対向部を、その上面に当接して支持する上面支持部と、この上面支持部の円管直径方向反対側の底面にてほぼ同一位置に位置する底面支持部とにより、円管直径方向で挟持するので、この大径ランプの保持力を向上させることができる。
【発明を実施するための最良の形態】
【００１７】
以下、本発明の実施形態を添付図面に基づいて説明する。これら添付図面中、同一または相当部分には同一符号を付している。
【００１８】
図１は本発明の一実施形態に係る環形ランプ保持具および環形ランプ保持具装置の正面俯瞰図，図２はこの環形ランプ保持具装置から大径および小径蛍光ランプを取り外した後の環形ランプ保持具の斜視図，図３はこの環形ランプ保持具の展開図である。
【００１９】
図１，図２に示すように環形ランプ保持具１は、中空矩形状であってほぼ角筒状の保持具本体２に、小径ランプの一例である小径蛍光ランプ３を着脱自在に保持する小径蛍光ランプ保持部４と、大径ランプの一例である大径蛍光ランプ５を着脱自在に保持する大径蛍光ランプ保持部６と、をそれぞれほぼ同心状に形成している。
【００２０】
大径，小径蛍光ランプ３，５は円形バルブを環形に曲成形成したものであり、ここでは、円形バルブの直径を管直径といい、円環の直径を環径という。小径蛍光ランプ３は例えば３０Ｗ形で大径蛍光ランプ５は例えば４０Ｗ形である。
【００２１】
保持具本体２は後述するように段ボール等の弾性を有する一枚板紙の折曲により一方向（図１では横方向）に長い偏平角筒に形成され、本体上面２ａ、本体底部２ｂ、左右一対の本体側面２ｃ，２ｃを一体に連成し、長手方向両端面は開口２ｄ，２ｄしている。各本体側面２ｃは小径蛍光ランプ３の管直径よりも若干低く形成されている。
【００２２】
小径蛍光ランプ保持部４は、保持具本体２に、小径蛍光ランプ３の環径方向で相互に対向する一対の対向端部３ａ，３ａをそれぞれ嵌入させる円弧状の一対の有底小保持用凹部４ａ，４ａを形成して小径蛍光ランプ３の環径方向のずれを規制するように保持している。
【００２３】
図２に示すように各小保持用凹部４ａは、本体上面２ａに、開口部として、小径蛍光ランプ保持部４の曲率半径と同径の曲率半径で湾曲する円弧状の小径蛍光ランプ用上面開口４ｂをそれぞれ形成すると共に、各側面２ｃに、側面開口４ｃをそれぞれ形成している。これら各側面開口４ｃ，４ｃは、その小径蛍光ランプ３の内周部を嵌入させる内側面側を円弧面４ｄに形成する一方、その外側面を垂直面４ｅに形成し、これら円弧面４ｄおよび垂直面とにより管直径方向で挟持するようになっている。
【００２４】
また、各小径保持用凹部４ａの寸法は、小径蛍光ランプ３の寸法の若干のばらつきに対応し得るように若干の幅（余裕）を有するが、小径蛍光ランプ用上面開口４ｂは小径蛍光ランプ３の円形直径の外径がばらつきの中で最小の寸法またはそれよりも若干小さい開口幅に形成されている。これは小径蛍光ランプ３がこの小径蛍光ランプ用開口４ｂ内に挿入されて小径蛍光ランプ用開口４ｂが一時的に弾性的に変形して小保持用凹部４ａ内に嵌入された小径蛍光ランプ３が小保持用凹部４ａからの抜け落ちるのを防止するためである。
【００２５】
一方、大径蛍光ランプ保持部６は、保持具本体２ａの長手方向両端部に、大径蛍光ランプ５の上面稜線上またはその若干内周側の上面上に、弾性的に当接する所要幅の円弧状の上面支持部６ａを形成する一方、本体底部２ｂに、大径蛍光ランプ５の外周面よりも若干外方へ延在して、この大径蛍光ランプ５の所定長さの底面を、その下方から全面的に支持する平面形状が矩形の底面支持部６ｂを形成している。これら底面支持部６ｂと上面支持部６ａとにより大径蛍光ランプ５の環径方向対向端部５ａ，５ａを、上下方向（管直径方向）で弾性的に挟持ないし保持している。
【００２６】
大径蛍光ランプ保持部６は、この大径蛍光ランプ５の外周面側と軸方向とを共に開放させる一方、内周部にそれぞれ当接する一対の本体側面２ｃ，２ｃには、大径蛍光ランプ５の円管曲率に適合した曲率の円弧面６ｃをそれぞれ形成し、この円弧面６ｃに大径蛍光ランプ５の円弧状内周面が嵌入するようになっている。
【００２７】
図３の展開図に示すように保持具本体２は段ボール等弾性を有する一枚板紙から打ち抜きにより型紙７を形成し、この型紙７の折り曲げにより角筒状に構成される。
【００２８】
すなわち、型紙７は、矩形の板紙のほぼ中央部において、小径蛍光ランプ保持部４を形成する上下一対の横長の長孔７ａ，７ａ、大径蛍光ランプ保持部６の円弧状の上面支持部６ａ、その円弧状側面６ｃ，６ｃおよび全体の外形（輪郭）を打抜きにより形成している。
【００２９】
また、型紙７には、本体上面２ａ、左右一対の本体側面２ｃ，２ｃ、底部２ｂの各々の境界線上に，図中破線で示す折り目線７ｂ，７ｃをそれぞれ形成している。これら折り目線７ｂ，７ｃは長孔７ａ等の打抜き時に、その金型によりほぼ同時に形成される。
【００３０】
そして、このように形成された型紙７の各折り目線７ｂ，７ｃを順次山折りし、左右一対の底部６ｂ同士を上下方向に重ね合せることにより角筒状の環形ランプ保持具１に構成することができる。
【００３１】
この後，図４に示すようにこの環形ランプ保持具１の小径蛍光ランプ用上面開口４ｂ内へ、その上方から小径蛍光ランプ３の所要の環径方向の一対の対向部３ａ，３ａを押し込み、小保持用凹部４ａ内に嵌入させて保持させる。
【００３２】
次に、図１に示すように大径蛍光ランプ５の所要の環径方向対向部５ａ，５ａの一方を、大径蛍光ランプ保持部６の外側方開放端からその内方へ押し込み、他方の対向部５ａを大径蛍光ランプ保持部６の円弧状の上面支持部６ａの上方からその下方へ押し込み、底面支持部６ｂ上に載置する。但し、大径蛍光ランプ５を一対の上面支持部６ａの上方から下方へほぼ同時に押し込み、その内方へ挿入させてもよい。
【００３３】
これにより、環形ランプ保持具１に大，小径蛍光ランプ３，５を着脱自在に保持させた状態の環形ランプ保持具装置８が構成される。この環形ランプ保持具装置８は、環形ランプ保持具１に、これら大，小径蛍光ランプ３，５を取り付けた状態で図示しない段ボール製等の偏平角筒状の収容箱内に密に挿入されて収容される。このとき、環形ランプ保持具１により保持されていない大径蛍光ランプ５の一部（図１では下部）が、その収容箱の開口側に位置される。
【００３４】
このために、収容箱を開けたときに、その開口から最も近い大径蛍光ランプ５の一部を握って箱の外部に容易に取り出すことができる。
【００３５】
また、この環形ランプ保持具１によれば、大，小径蛍光ランプ３，５を大，小ランプ保持部４，６により緩衝的に保持するので、収容箱の運搬時等で仮に保持具が過度に揺動した場合でも、収容箱内で大径および小径蛍光ランプ５，３同士が衝突して破損するのを未然に防止することができる。
【００３６】
さらに、小径蛍光ランプ保持部４は、小径蛍光ランプ３の環径方向で相互に対向する所要の一対の対向部３ａ，３ａを、保持具本体２の短手方向全幅に亘って形成された各小保持用凹部４ａ内に嵌入保持し、その状態で、一対の本体側面２ｃ，２ｃの円弧面４ｄと垂直面４ｅとにより、小径蛍光ランプ３の内周面と外周面とを円管直径方向で挟持すると共に、小保持用凹部４ａ内に嵌入保持されている小径ランプ３の保持部の長さが保持具本体２の全幅に亘って形成されているので、この小径蛍光ランプ３の保持力を向上させることができる。
【００３７】
このために、収容箱内に収容された環形ランプ保持具装置８を外部へ取り出す際等に、小径蛍光ランプ３が環形ランプ保持具１からの抜け落ちるのを防止ないし低減することができる。
【００３８】
さらに、大径蛍光ランプ保持部６では、上面支持部６ａと底面保持部６ｂとにより上下方向（管径方向）で挟持すると共に、底面支持部６ｂが大径蛍光ランプ５の底面外周面よりも若干外方に突出して、その支持底面を全面的に支持しているので、大径蛍光ランプ５の保持力も向上させることができる。
【００３９】
しかも、上面支持部６ａの先端が大径蛍光ランプ５の曲率半径に適合した曲率半径により円弧状に形成されているので、この上面支持部６ａの上方から大径蛍光ランプ５を底部６ｂ側へ押し込むことにより、この上面支持部６ａを弾性変形させて、その内方へ簡単迅速に挿入することができる。
【００４０】
さらに、底面支持部６ｂが図３で示す左右一対の底部６ｂ，６ｂをその厚さ方向（上下方向）で重ね合わせて増厚させているので、底部６ｂでの緩衝性を向上させることができる。
【００４１】
図５は本発明の第２の実施形態に係る環形ランプ保持具１Ａの斜視図，図６はその展開図である
この環形ランプ保持具１Ａは、上記図１〜図４で示す環形ランプ保持具１において、その大径蛍光ランプ保持部６の上面支持部６ａと底面支持部６ｂの上下を入れ替えた点に特徴があり、これ以外は同一の構成である。
【００４２】
すなわち、環形ランプ保持具１Ａは、大径蛍光ランプ５の挿入取付方向を、小径蛍光ランプ３の挿入取付方向とは逆方向、すなわち図５中下方側に設定するために、大径蛍光ランプ保持部６の図５中上面を、平面形状の矩形の底面支持部６ａａに形成する一方，図５中下面を上面保持部６ｂｂに形成している。
【００４３】
この環形ランプ保持具１Ａによれば、環形ランプ保持具１Ａの小径蛍光ランプ保持部４内に、その上面開口２ａの上方から小径蛍光ランプ３を嵌入して保持させた後、この環形ランプ保持具１Ａを大径蛍光ランプ５上に押し込むことにより、この大径蛍光ランプ５を大径蛍光ランプ保持部６内に簡単かつ迅速に挿入し保持させることができる。
【００４４】
図７は本発明の第３の実施形態に係る環形ランプ保持具１Ｂおよびその環形ランプ保持具装置９の平面図，図８はその環形ランプ保持具１Ｂの展開図，図９はその展開状態の環形ランプ保持具１Ｂと、大，小径蛍光ランプ５，３の寸法上のばらつきとの位置関係を示す平面図である。
【００４５】
図８，図９に示すように環形ランプ保持具１Ｂは、その本体１０に、小径蛍光ランプ３と大径蛍光ランプ５を同心状に載置させる図中縦方向に長い平板矩形状の底部１１と、この底部１１の両側から垂直方向上方へ起立（直立）するように折り曲げられる左右一対の側面部１２，１２と、これら一対の側面部１２，１２の起立上端から水平方向内方または外方へほぼ直角に折り曲げて大，小径蛍光ランプ５，３上面上に延在する左右一対の上面部１３，１３とを、一体に連成している。
【００４６】
保持具本体１０は段ボール等の弾性を有する一枚板紙の打抜きおよび折り曲げとにより偏平角筒状に構成される。
【００４７】
小径蛍光ランプ３は例えば３０Ｗ形で大径蛍光ランプ５は例えば４０Ｗ形であり、これら大径および小径蛍光ランプ５，３の寸法には若干のばらつきがあるが、保持具本体１０は、そのばらつきに対応する寸法と形状に形成されている。
【００４８】
すなわち，図９に示すように保持具本体１０は、その底部１１の長手方向（図９中上下方向）の長さを、大径蛍光ランプ５の環形の内外径が共に最大のランプ５ｘの環形外径よりも若干大きく形成され、その底面を下から支持している。なお，図９中、符号５ｙは環形の内外径が共に最小の大径蛍光ランプ５を示し、３ｘは環形の内外径が共に最大の小径蛍光ランプ３を示し、３ｙは環形の内外径が共に最小の小径蛍光ランプ３を示している。
【００４９】
底部１１は、その図８，図９中、上、下方向両端部に、大径蛍光ランプ５の環径方向で対向する一対の対向部５ａ，５ａの底部をその下方から支持する一対の底面支持部１１ａ，１１ａをそれぞれ形成している。各底面支持部１１ａは、その外周面を、大径蛍光ランプ５の外周面とほぼ一致させるか、または、これより若干大きい円弧面１１ｂ，１１ｂに形成しており、ばらつき中、最大寸法の大径蛍光ランプ５ｘを含む大径蛍光ランプ５の外周面をこの円弧面１１ｂにより保持すると共に、大径蛍光ランプ５の底面を支持している。
【００５０】
図８，図９に示すように、一対の側面部１２，１２は、その高さが大，小径蛍光ランプ５，３の円管直径よりも若干低く形成され、各側面部１２の図中縦方向ほぼ中間部にて、小径蛍光ランプ３の環径方向で対向する一対の対向端部３ａ，３ｂをそれぞれ挿通させて外方へ突出させる図中縦長の挿通孔１２ａ，１２ａをそれぞれ形成している。これら各挿通孔１２ａ，１２ａの上下各端部に、窓孔１１ｃ，１１ｃ，１１ｃ，１１ｃを連続して一体に連成している。これら各窓孔１１ｃは環形ランプ保持具１Ｂを図示しない収容箱内に密に収容したときに、この収容箱に穿設された覗き孔と一致し、この覗き孔を通して収容箱の外部から小径蛍光ランプ３の有無を目視できるようになっている。
【００５１】
各側面部１２は、その図中上下端部に、大径蛍光ランプ５の内周面を嵌入させるための円弧面１２ｂをそれぞれ形成している。
【００５２】
一対の上面部１３，１３は、その縦方向中間部にて、上記各挿通孔１２ａの外側縁に連続する円弧状の嵌合用切欠部１３ａ，１３ａをそれぞれ一体に連成している。これは、環形ランプ保持具１Ｂの展開時、この環形ランプ保持具１Ｂを山折り線１７に沿って山折りしたときに小径ランプ３の一対の対向端部３ａ，３ａを挿通孔１２ａ，１２ａに嵌め込むための投影孔である。また、図７に示すようにこの環形ランプ保持具１Ｂの組立を完了したときに、これら嵌合用切欠部１３ａ，１３ａを作業員が親指と人指し指等片手で把持できるように狭い幅に形成している。
【００５３】
各上面部１３は、その図７〜図９中、各上下端部に、大径蛍光ランプ５の上面内周部を底面部１１側へ押し当て挟持する上面支持部１３ｂをそれぞれ一体に連成している。
【００５４】
これら各上面支持部１３ｂは、その外周面を、図７，図１３に示すように上面部１３をその内方へ折り曲げたときに、大径蛍光ランプ５の内周部上面の曲率半径にほぼ一致する曲率半径で湾曲する円弧面１３ｃに一体に連成している。
【００５５】
図８に示すように各上面部１３は、その縦方向中間部の外縁に、その外方に突出する縦長長方形の係止舌片１３ｄを上面部１３の先端部としてそれぞれ一体に連成している。
【００５６】
これら一対の係止舌片１３ｄは図１３の右側の上面部１３に示すように上面部１３が内方（図１３では左側方）へほぼ直角に折曲され、かつ、小径蛍光ランプ３の内方へほぼ直角に折曲されることにより、小径蛍光ランプ３の直径方向の間隙に介在されて、その内周面の２箇所に当接し、挿通孔１２ａの外周面とにより挟持するようになっている。
【００５７】
また、各係止舌片１３ｄは図１３の左側の上面部１３に示すように外方（図１３では左側方）へほぼ直角に折曲され、かつ、大径蛍光ランプ５の図中左側部の内周面側にほぼ直角に折曲されることにより、その内周面の２箇所に当接し、大径蛍光ランプ５の図中縦方向の変位を規制するようになっている。
【００５８】
そして、図８に示すように上記底部１１、一対の側面部１２，１２、一対の上面部１３，１３の各縦方向の境界線上には、図中破線で示す底部折れ線１４、側面折れ線１５をそれぞれ形成すると共に、各係止舌片１３ｄの内側縁上に、谷折りの舌片用折れ線１６をそれぞれ形成している。
【００５９】
また、保持具本体１０は、その図中縦方向にほぼ２等分する位置にて山折りの横折れ線１７を図中線で示すように形成している。
【００６０】
次に、このように構成された環形ランプ保持具１Ｂに大径および小径蛍光ランプ５，３を取り付ける方法の一例を説明する。
【００６１】
まず、図１０に示すように環形ランプ保持具１Ｂを一枚板紙のように展開させてから、横折れ線１７を山折りで折曲して、底部１１の上下一対の底面支持部１１ａ，１１ａが大径蛍光ランプ５の底面の下方に位置するように位置決めする。
【００６２】
次に、この底面部１１のほぼ中央部上に小径蛍光ランプ３を同心状に載置し、この小径蛍光ランプ３を介して掌等で山折りを底面部１１側へ押し込む。
【００６３】
すると、図１１に示すように環形ランプ保持具１Ｂが図中縦方向に伸展して上下一対の底面支持部１１ａ，１１ａが大径蛍光ランプ５の環径方向対向部の底面の下方に潜り込み、各底面支持部１１ａが大径蛍光ランプ５の底面を受けると共に、一対の側面部１２がほぼ直角に起立する。
【００６４】
これとほぼ同時に、図１２に示すように、小径蛍光ランプ３の環径方向一対の対向部３ａ，３ｂが、一対の側面部１２，１２の各挿通孔１２ａ，１２ａ内にそれぞれ嵌合し、かつ挿通して底部１１上に載置固定される。
【００６５】
次に、図１３中、右側の上面部１３に示すように、同図中左側の上面部１３も内方へ側面折れ線１５に沿ってほぼ直角にそれぞれ折曲し、さらに、これら上面部１３，１３の両係止係止舌片１３ｄ，１３ｄを、舌片用折れ線１６に沿って内方へそれぞれほぼ直角に折曲する。
【００６６】
これにより、図７に示すように大，小径蛍光ランプ５，３を環形ランプ保持具１Ｂにより共に保持することができる。
【００６７】
すなわち、一対の係止舌片１３ｃ，１３ｃの縦方向両端が小径蛍光ランプ３の環径方向で相互に対向する内周面の２箇所にそれぞれ弾性的に当接すると共に、各挿通孔１２ａ，１２ａの外周壁面とにより、小径蛍光ランプ３の外周面を支持するので、この小径蛍光ランプ３を、その管直径方向でそれぞれ弾性的に挟持することができる。
【００６８】
また、図７に示すように左右一対の上面部１３，１３を内方へ折曲することにより、大径蛍光ランプ５の環径方向の一対の対向部５ａ，５ａを、底部１１の各底面支持部１１ａと上面支持部１３ｂとにより、円管直径方向で挟持することができる。
【００６９】
しかも、これら各底面支持部１１ａと上面支持部１３ａとは、その円弧状外周面１３ｃを、大径蛍光ランプ５の外周面と同一の曲率半径であるので、これら支持部１１ａ，１３ａが大径蛍光ランプ５の外周面から突出するのを防止することができるので、収容箱の大形化を防止することができる。
【００７０】
また、このように大，小径蛍光ランプ５，３を環形ランプ保持具１Ｂに取り付けた状態の環形ランプ保持具装置９を収容箱内に密に収容することにより、この収容箱の内面と環形ランプ保持具１Ｂの各側面部１２の円弧面１２ｂとにより、その円管直径方向で弾性的に挟持するので、収容箱内での大，小径蛍光ランプ５，３の揺動を防止することができる。
【図面の簡単な説明】
【００７１】
【図１】本発明の第１実施形態に係る環形ランプ保持具および環形ランプ保持具装置の正面俯瞰図。
【図２】図１で示す環形ランプ保持具の斜視図。
【図３】図１で示す環形ランプ保持具の展開図。
【図４】図１で示す環形ランプ保持具の組立後、小径蛍光ランプを取り付けた状態を示す側面俯瞰図。
【図５】本発明の第２実施形態に係る環形ランプ保持具の斜視図。
【図６】本発明の第２実施形態に係る環形ランプ保持具の展開図。
【図７】本発明の第３実施形態に係る環形ランプ保持具および環形ランプ保持具装置の平面図。
【図８】図７で示す環形ランプ保持具の展開図。
【図９】図７で示す環形ランプ保持具の展開状態の環形ランプ保持具と大，小径蛍光ランプの寸法のばらつきとの位置関係を示す図。
【図１０】図７で示す環形ランプ保持具に大径蛍光ランプを取り付ける場合の第１の手順を示す平面図。
【図１１】同第２の手順を示す平面図。
【図１２】同小径蛍光ランプを取り付ける場合の第３の手順を示す平面図。
【図１３】同係止舌片を小径蛍光ランプまたは大径蛍光ランプに係止させる第４の手順を示す平面図。
【符号の説明】
【００７２】
１，１Ａ，１Ｂ…環形ランプ保持具、２，１０…保持具本体、２ａ…本体上面、２ｂ…本体底部、２ｃ…本体側面、３…小径蛍光ランプ、３ａ，３ａ…小径蛍光ランプの環径方向で対向する一対の対向部、４…小径蛍光ランプ保持部４ａ…小保持用凹部、４ｂ…小ランプ用上面開口、４ｃ…側面開口、５…大径蛍光ランプ、５ａ，５ａ…大径蛍光ランプの環径方向一対の対向部、６…大径蛍光ランプ保持部６ａ…上面支持部、６ｂ…底面支持部、６ｃ…円弧面、８，９…環形ランプ保持具装置、１１…底部、１１ａ…底面支持部、１１ｂ…円弧面、１２…側面部、１２ａ…挿通孔、１３…上面部、１３ａ…把持用切欠部、１３ｂ…上面支持部、１３ｄ…係止舌片。
【図１】
2005313952.tif 000003
【図２】
2005313952.tif 000004
【図３】
2005313952.tif 000005
【図４】
2005313952.tif 000006
【図５】
2005313952.tif 000007
【図６】
2005313952.tif 000008
【図７】
2005313952.tif 000009
【図８】
2005313952.tif 000010
【図９】
2005313952.tif 000011
【図１０】
2005313952.tif 000012
【図１１】
2005313952.tif 000013
【図１２】
2005313952.tif 000014
【図１３】
2005313952.tif 000015